(57)【要約】【課題】エスカレータの三角部に配設される三角部保護板において、利用者がエスカレータの手摺から身体を突き出していた場合に、身体を確実に手摺の内側に戻すことができると共に、三角部保護板と手摺との間に身体を挟み込み難いエスカレータの三角部保護板を提供する。【解決手段】建物Ｆの上下階Ｆ２・Ｆ１に跨って設置された第１エスカレータＥにおける手摺Ｅ１と手摺Ｅ１に近接する建物Ｆの構造体Ｆ１１とが交差することによって形成される三角部Ｆ３、又は第１エスカレータにおける手摺と第１エスカレータに並んで設置された第２エスカレータの下部とが交差することによって形成される三角部に配設される、エスカレータの三角部保護板１であって、第１エスカレータＥを正面視した状態において、三角部保護板１における第１エスカレータＥの前側の前端部１３は、少なくともその下部が、手摺Ｅ１よりも第１エスカレータＥの横方向外側に向けて凹んでいる。【選択図】図１
2009132486.tif 000002
【特許請求の範囲】
【請求項１】
建物の上下階に跨って設置された第１エスカレータにおける手摺と該手摺に近接する前記建物の構造体とが交差することによって形成される三角部、又は前記第１エスカレータにおける前記手摺と該第１エスカレータに並んで設置された第２エスカレータの下部とが交差することによって形成される三角部に配設される、エスカレータの三角部保護板であって、
前記第１エスカレータを正面視した状態において、前記三角部保護板における前記第１エスカレータの前側の前端部は、少なくともその下部が、前記手摺よりも前記第１エスカレータの横方向外側に向けて凹んでいることを特徴とするエスカレータの三角部保護板。
【請求項２】
前記第１エスカレータを正面視した状態において、前記三角部保護板における前記第１エスカレータの前側の前端部は、その上部が前記第１エスカレータの横方向内側に向けて凸に湾曲していると共に、その上端部が前記第１エスカレータの横方向外側を向いていることを特徴とする請求項１に記載のエスカレータの三角部保護板。
【請求項３】
前記第１エスカレータを正面視した状態において、前記三角部保護板における前記第１エスカレータの前側の前端部は、その上端部が、前記第１エスカレータの横方向内側を向いていることを特徴とする請求項１に記載のエスカレータの三角部保護板。
【請求項４】
前記第１エスカレータの前側から後ろ側に向けて窄まる形状を有していることを特徴とする請求項１〜３の何れかに記載のエスカレータの三角部保護板。
【請求項５】
前記第１エスカレータを側面視した状態において、水平面に対する前記三角部保護板の下端部の傾斜角度は、水平面に対する前記第１エスカレータの手摺の傾斜角度よりも大きくなっていることを特徴とする請求項１〜４の何れかに記載のエスカレータの三角部保護板。
【請求項６】
前記第１エスカレータの下方側の下部板材と上方側の上部板材とが、該下部板材の上部と該上部板材の下部とを重ねた状態で連結されてなり、
前記下部板材と前記上部板材との重なりの程度を変更することにより、前記三角部保護板の下端部と上端部との間隔を広狭自在に構成されている請求項１〜５の何れかに記載のエスカレータの三角部保護板。
【請求項７】
建物の上下階に跨って設置された第１エスカレータにおける手摺と該手摺に近接する前記建物の構造体とが交差することによって形成される三角部、又は前記第１エスカレータにおける前記手摺と該第１エスカレータに並んで設置された第２エスカレータの下部とが交差することによって形成される三角部に配設される、エスカレータの三角部保護板であって、
前記第１エスカレータを側面視した状態において、前記三角部保護板における前記第１エスカレータの前側の前端部は、その下部が、水平面に対して、前記第１エスカレータの前側から後ろ側に向かう方向に、該第１エスカレータの手摺の傾斜角度よりも大きい傾斜角度で傾斜すると共に、前記エスカレータの前記手摺と交差しており、
また、前記三角部保護板の前端部の上部の傾斜角度は、前記三角部保護板の前端部の下部の傾斜角度よりも大きくなっていることを特徴とする三角部保護板。
【発明の詳細な説明】
【技術分野】
【０００１】
本発明は、建物の上下階に跨って設置された第１エスカレータにおける手摺と該手摺に近接する前記建物の構造体とが交差することによって形成される三角部、又は前記第１エスカレータにおける前記手摺と該第１エスカレータに並んで設置された第２エスカレータの下部とが交差することによって形成される三角部に配設される、エスカレータの三角部保護板に関する。
【背景技術】
【０００２】
エスカレータを備えた建物においては、一般的に、「三角部」と呼ばれる三角状の空間が形成される。三角部は、建物の上下階に跨って設置された第１エスカレータにおける手摺と該手摺に近接する前記建物の構造体（典型的には、下階の天井や梁）とが交差することによって形成されるか、又は第１エスカレータにおける手摺と第１エスカレータに並んで設置された第２エスカレータの下部とが交差することによって形成される。
【０００３】
上りのエスカレータの利用者が、エスカレータの手摺よりも横方向外側に、自分の首、頭、手など（以下総称して「身体」ともいう）を突き出した状態で、エスカレータに乗り続けていると、前記三角部に身体を挟み込む事故が発生する虞がある。
このような事故を防止するために、エスカレータを備えた建物においては、三角部に三角部保護板を設置することが義務付けられている。三角部保護板としては、大別して、下階の天井などに固定されたタイプ（固定タイプ。例えば下記特許文献１参照）と、下階の天井などからチェーン等によって吊り下げられたタイプ（吊り下げタイプ。例えば下記特許文献２参照）とがある。
【０００４】
吊り下げタイプの三角部保護板によれば、手摺から突き出された身体が三角部保護板に接触すると、三角部保護板が外側にずれるため、身体に強い圧迫を与えることがないという利点がある一方で、手摺から突き出された身体を手摺の内側に戻す効果が少ないという欠点がある。
【０００５】
これに対して、固定タイプの三角部保護板によれば、手摺から突き出された身体をほぼ確実に手摺の内側に戻すことができるという利点がある一方で、エスカレータの利用者が身体を手摺の内側に引っ込めない場合には、身体に強い圧迫を与えるという欠点がある。
近年では、手摺から突き出された身体をほぼ確実に手摺の内側に戻す効果を重視して、原則として、三角部保護板としては、固定タイプを用い、吊り下げタイプを用いないこととされている。
【０００６】
【特許文献１】特開２００２−３７５７８号公報
【特許文献２】特開平６−２７８９８２号公報
【発明の開示】
【発明が解決しようとする課題】
【０００７】
従来における固定タイプの三角部保護板は、直平面状の板材を主体として構成されており、該板材がエスカレータの手摺の外端部に近接して配設されている。三角部保護板の下端部は、通常、手摺よりも十分に下方に位置しているので、三角部保護板と手摺との間に身体を挟む虞は実質的にない。
しかしながら、固定タイプの三角部保護板が不適切に配設され、三角部保護板の下端部が手摺に近接していると、三角部保護板と手摺との間に身体を挟み込む場合がある。
【０００８】
従って、本発明は、エスカレータの三角部に配設される三角部保護板において、エスカレータの利用者がエスカレータの手摺から身体を突き出していた場合に、手摺から突き出された身体を確実に手摺の内側に戻すことができると共に、三角部保護板と手摺との間に身体を挟み込みにくいエスカレータの三角部保護板を提供することを目的とする。
【課題を解決するための手段】
【０００９】
（１）  本発明の第１発明は、建物の上下階に跨って設置された第１エスカレータにおける手摺と該手摺に近接する前記建物の構造体とが交差することによって形成される三角部、又は前記第１エスカレータにおける前記手摺と該第１エスカレータに並んで設置された第２エスカレータの下部とが交差することによって形成される三角部に配設される、エスカレータの三角部保護板であって、前記第１エスカレータを正面視した状態において、前記三角部保護板における前記第１エスカレータの前側の前端部は、少なくともその下部が、前記手摺よりも前記第１エスカレータの横方向外側に向けて凹んでいることを特徴とするエスカレータの三角部保護板である。
【００１０】
（２）  前記第１エスカレータを正面視した状態において、前記三角部保護板における前記第１エスカレータの前側の前端部は、その上部が前記第１エスカレータの横方向内側に向けて凸に湾曲していると共に、その上端部が前記第１エスカレータの横方向外側を向いていることが好ましい。
【００１１】
（３）  前記第１エスカレータを正面視した状態において、前記三角部保護板における前記第１エスカレータの前側の前端部は、その上端部が、前記第１エスカレータの横方向内側を向いていることが好ましい。
【００１２】
（４）  本発明のエスカレータの三角部保護板は、前記第１エスカレータの前側から後ろ側に向けて窄まる形状を有していることが好ましい。
【００１３】
（５）  前記第１エスカレータを側面視した状態において、水平面に対する前記三角部保護板の下端部の傾斜角度は、水平面に対する前記第１エスカレータの手摺の傾斜角度よりも大きくなっていることが好ましい。
【００１４】
（６）  本発明のエスカレータの三角部保護板は、前記第１エスカレータの下方側の下部板材と上方側の上部板材とが、該下部板材の上部と該上部板材の下部とを重ねた状態で連結されてなり、前記下部板材と前記上部板材との重なりの程度を変更することにより、前記三角部保護板の下端部と上端部との間隔を広狭自在に構成されていることが好ましい。
【００１５】
（７）  本発明の第２発明は、建物の上下階に跨って設置された第１エスカレータにおける手摺と該手摺に近接する前記建物の構造体とが交差することによって形成される三角部、又は前記第１エスカレータにおける前記手摺と該第１エスカレータに並んで設置された第２エスカレータの下部とが交差することによって形成される三角部に配設される、エスカレータの三角部保護板であって、前記第１エスカレータを側面視した状態において、前記三角部保護板における前記第１エスカレータの前側の前端部は、その下部が、水平面に対して、前記第１エスカレータの前側から後ろ側に向かう方向に、該第１エスカレータの手摺の傾斜角度よりも大きい傾斜角度で傾斜すると共に、前記エスカレータの前記手摺と交差しており、また、前記三角部保護板の前端部の上部の傾斜角度は、前記三角部保護板の前端部の下部の傾斜角度よりも大きくなっていることを特徴とする三角部保護板である。
【発明の効果】
【００１６】
本発明のエスカレータの三角部保護板によれば、エスカレータの三角部に配設される三角部保護板において、エスカレータの利用者がエスカレータの手摺から身体を突き出していた場合に、手摺から突き出された身体を確実に手摺の内側に戻すことができると共に、三角部保護板と手摺との間に身体を挟み込みにくい。
【発明を実施するための最良の形態】
【００１７】
以下、本発明のエスカレータの三角部保護板（以下単に「三角部保護板」ともいう）について、その第１発明の好ましい一実施形態である第１実施形態に基づき、図面を参照しながら説明する。
図１は、本発明の第１実施形態の三角部保護板、及びエスカレータを備えた建物の内部を示す正面斜視図である。図２は、第１実施形態の三角部保護板を単体状態で示す斜視図である。図３は、第１実施形態の三角部保護板の前端部を示す端面図である。図４は、第１実施形態の三角部保護板を示す側面図である。図５は、第１実施形態の三角部保護板による効果を示す斜視図である。
【００１８】
第１実施形態の三角部保護板１は、図１に示すように、建物Ｆの上階Ｆ２・下階Ｆ１に跨って設置された（第１）エスカレータＥにおける手摺Ｅ１と手摺Ｅ１に近接する建物Ｆの構造体（下階Ｆ１の天井Ｆ１１）とが交差することによって形成される三角部Ｆ３に配設される、エスカレータの三角部保護板である。
【００１９】
エスカレータＥは、一般的には、隣接する上下階に跨って設置されているが、複数回離れた上下階に跨って設置されていてもよい。つまり、上階Ｆ２及び下階Ｆ１は、一般的には、隣接する階（例えば上階が３階で、下階が２階）であるが、複数回離れた階（例えば上階が４階で、下階が２階）であってよい。
エスカレータＥは、踏段Ｅ３、一対の欄干Ｅ２、一対の手摺Ｅ１、トラス（図示せず）などを備えている。
【００２０】
踏段Ｅ３は、複数個の踏板が無端状に連結されて構成されている。欄干Ｅ２は、踏段Ｅ３の両側からそれぞれ起立している。手摺Ｅ１は、無端ベルトからなり、欄干Ｅ２における面方向周縁部に移動自在に配設されている。
前記トラスは、踏段Ｅ３の下方に設けられており、踏段Ｅ３の自重、利用者の荷重などを支える躯体部分である。トラスの内部には、踏段Ｅ３及び手摺Ｅ１の駆動する駆動機構（図示せず）、踏段Ｅ３を案内する踏段案内レール（図示せず）、前記駆動機構を制御する制御盤などが設けられている。
【００２１】
踏段Ｅ３及び手摺Ｅ１は、前記制御盤に制御された駆動機構により生じた駆動力によって駆動され、同期して下階Ｆ１から上階Ｆ２に向けて又は上階Ｆ２から下階Ｆ１に向けて移動する。そのため、エスカレータＥの利用者は、踏段Ｅ３の踏板に載り、必要に応じて手摺Ｅ１に掴まることによって、下階Ｆ１から上階Ｆ２に向けて又は上階Ｆ２から下階Ｆ１に向けて移動することができる。
【００２２】
エスカレータＥの下端側は、下階Ｆ１の床面に接続している。エスカレータＥの上端側は、上階Ｆ２の床面に接続している。
建物Ｆにおいては、エスカレータＥの手摺Ｅ１と手摺Ｅ１に近接する建物Ｆの構造体とが交差することによって三角部Ｆ３が形成される。本実施形態における三角部Ｆ３を形成する前記構造体は、下階Ｆ１の天井Ｆ１である。三角部Ｆ３は、エスカレータＥにおける一対の手摺Ｅ１の両側にそれぞれ（計２カ所）形成される。２カ所の三角部Ｆ３に、それぞれ第１実施形態の三角部保護板１が配設される。
【００２３】
以下に、第１実施形態の三角部保護板１について詳述する。第１実施形態の三角部保護板１は、図２〜図４に示すように、エスカレータＥを側面視した状態においては、従来の三角部保護板と同様に、略三角形状を有している。エスカレータＥにおいて、側面視とは、一方の欄干Ｅ２から他方の欄干Ｅ２に向かう方向に視ることをいう。三角部保護板１における側面視の方向は、エスカレータＥにおける側面視の方向と同じである。
【００２４】
略三角形状とは、完全な三角形状のみならず、巨視的に視て三角形状の場合も含む。従って、部分的に突出した部分や凹んだ部分を含んでいてもよく、エスカレータＥの後ろ側の端部が尖っていない形態（例えば、該端部が垂直方向に沿う直線状な形態（台形状となる）や、該端部が丸みを帯びた形態）でもよい。
【００２５】
第１実施形態の三角部保護板１においては、エスカレータＥを正面視した状態において、三角部保護板１におけるエスカレータＥの前側の前端部１３は、その下部１３ｃが、手摺Ｅ１よりもエスカレータＥの横方向外側に向けて凹んでいると共に、その下端部１３ａがエスカレータＥの横方向内側を向いている。また、三角部保護板１の前端部１３は、その上部１３ｄがエスカレータＥの横方向内側に向けて凸に湾曲していると共に、その上端部１３ｂがエスカレータＥの横方向外側を向いている。
【００２６】
つまり、三角部保護板１の前端部１３は、その下部が手摺Ｅ１よりもエスカレータＥの横方向外側に向けて凸に湾曲し、その上部１３ｄがエスカレータＥの横方向内側に向けて凸に湾曲する「Ｓ字形状」を有している。Ｓ字形状の前端部１３は、全体視で、下端部１３ａから上端部１３ｂに向けて、エスカレータＥの横方向外側に広がる形状を有している。
エスカレータＥにおいて、正面視とは、エスカレータＥの下端側から上端側に向かう方向に視ることをいう。三角部保護板１における正面視の方向は、エスカレータＥにおける正面視の方向と同じである。
【００２７】
三角部保護板１の前端部１３は、図２に示すように、三角部保護板１が丸められて湾曲している。詳細には、前端部１３は、エスカレータＥの横方向内側から前側を経由して横方向外側に向けて凸の半円弧状に湾曲している。これにより、前端部１３に利用者の頭などが接触したとしても、前端部１３によって利用者の頭などに切り傷が付くことを防止できる。尚、三角部保護板１の前端部１３は、実質的に円が形成されるまで湾曲していてもよい。
【００２８】
第１実施形態の三角部保護板１は、エスカレータＥの欄干Ｅ２及び下階Ｆ１の天井Ｆ１１に固定されている。詳細には、図３に示すように、三角部保護板１の下端部１５は、下部取り付け部材３を介してエスカレータＥの欄干Ｅ２の外側面に取り付けられている。三角部保護板１の上端部１６は、上部取り付け部材２を介して下階Ｆ１の天井Ｆ１１に取り付けられている。上部取り付け部材２は、ネジ２１により下階Ｆ１の天井Ｆ１１に固定されている。
【００２９】
図３に示すように、三角部保護板１の前端部１３の下部における凹みの深さＴ１（エスカレータＥの手摺Ｅ１の外側部から三角部保護板１の前端部１３の下部における凹みの最深部の内面までの水平方向距離）は、好ましくは０〜８０ｃｍであり、更に好ましくは０〜５０ｃｍである。
【００３０】
三角部保護板１の前端部１３の下部における凹みの最深部の高さＴ２（エスカレータＥの手摺Ｅ１の上面から三角部保護板１の前端部１３の下部における凹みの最深部の内面までの垂直方向距離）は、好ましくは−１０〜５０ｃｍであり、更に好ましくは０〜２０ｃｍである。高さＴ２が「−」（マイナス）であるとは、三角部保護板１の前端部１３の下部における凹みの最深部の内面が、エスカレータＥの手摺Ｅ１の上面よりも低い位置に位置することを意味する。
【００３１】
三角部保護板１の前端部１３の上部１３ｄにおける頂部の湾曲深さＴ３（三角部保護板１の前端部１３の下部における凹みの最深部の内面から三角部保護板１の前端部１３の上部１３ｄにおける頂部の内面までの水平方向距離）は、好ましくは０〜８０ｃｍであり、更に好ましくは０〜６０ｃｍである。
【００３２】
三角部保護板１の前端部１３の上部１３ｄにおける頂部の湾曲高さＴ４（三角部保護板１の前端部１３の下部における凹みの最深部の内面から三角部保護板１の前端部１３の上部１３ｄにおける頂部の内面までの垂直方向距離）は、好ましくは０〜８０ｃｍであり、更に好ましくは０〜６０ｃｍである。
【００３３】
第１実施形態の三角部保護板１は、エスカレータＥの前側から後ろ側に向けて窄まる形状を有している。そのため、第１実施形態の三角部保護板１においては、Ｓ字形状を有する三角部保護板１の前端部１３は、Ｓ字形状を保持してエスカレータＥの前側から後ろ側に向けて窄まっており、三角部保護板１の後端部は実質的にＳ字形状を有していない。
【００３４】
三角部保護板１を形成する材料は特に制限されないが、強度、利用者に接触したときのソフトな感触などを確保する観点などから、不透明なアクリル板が好ましい。
不透明なアクリル板が好ましい理由は次の通りである。子供の首がエスカレータの手摺と三角部保護板との間に挟まるのは、子供の興味が下の階にあり、エスカレータの手摺から身を乗り出すためである。しかしながら、三角部保護板１が不透明なアクリル板から形成されていると、子供が下をのぞくことができないため、子供の首がエスカレータの手摺と三角部保護板との間に挟まることを防止できる。
【００３５】
図４に示すように、エスカレータＥを側面視した状態において、水平面に対する三角部保護板１の下端部１５の傾斜角度θ１は、水平面に対するエスカレータＥの手摺Ｅ１の傾斜角度θ２よりも大きくなっている。下端部１５の傾斜角度θ１は、好ましくは３５〜４５度である。手摺Ｅ１の傾斜角度θ２は、好ましくは２５〜３５度である。
【００３６】
また、三角部保護板１の前端部１３における下端部１３ａと手摺Ｅ１の下端部との間隔（手摺Ｅ１の傾斜角度θ２と直交する方向に沿う間隔）Ｔ５は、好ましくは２５〜３５ｃｍである。手摺Ｅ１の上端部と三角部保護板１の上端部１６との交差した箇所における、手摺Ｅ１の下端部と三角部保護板１の下端部１５との間隔（手摺Ｅ１の傾斜角度θ２と直交する方向に沿う間隔）Ｔ６は、好ましくは２〜５ｃｍである。
【００３７】
第１実施形態の三角部保護板１によれば、以下の各効果が奏される。
第１実施形態の三角部保護板１においては、前端部１３は、少なくともその下部が、エスカレータＥの手摺Ｅ１よりもエスカレータＥの横方向外側に向けて凹んでいる。そのため、図５に示すように、上りのエスカレータの利用者Ｍが、エスカレータＥの手摺Ｅ１よりも横方向外側に、自分の頭Ｈを突き出した状態で、エスカレータＥに乗り続けていた場合であっても、三角部保護板１における外側に凹んだ下部１１によって、頭ＨがエスカレータＥの横方向内側に押し戻される。このとき、利用者Ｍの頭Ｈは、凹んだ下部１１によって支持されるため、三角部保護板１とエスカレータＥの手摺Ｅ１との間に首などを挟み込みにくい。
【００３８】
そして、三角部保護板１の前端部１３は、その上部１３ｄがエスカレータＥの横方向内側に向けて凸に湾曲しているため、外側に凹んだ下部１１によって横方向内側に押し戻された利用者Ｍの頭Ｈは、横方向内側に向けて凸に湾曲した上部１２によって、エスカレータＥの横方向内側に更に押し戻される。
【００３９】
第１実施形態の三角部保護板１は、エスカレータＥの前側から後ろ側に向けて窄まる形状を有しているため、三角部保護板１の下部１１又は上部１２によって横方向内側に押し戻された利用者Ｍの頭Ｈは、エスカレータＥの手摺Ｅ１の内側に滑らかに押し戻される。
【００４０】
また、三角部保護板１の下端部１５の傾斜角度θ１は、エスカレータＥの手摺Ｅ１の傾斜角度θ２よりも大きくなっているため、利用者Ｍの頭Ｈは、三角部保護板１の下部１１又は上部１２によって横方向内側に押し戻されると同時に、手摺Ｅ１の上側に向けても押し戻される。
【００４１】
次に、本発明の三角部保護板についての他の実施形態について説明する。他の実施形態については、主として、第１実施形態とは異なる点を説明し、第１実施形態と同様の構成について同じ符号を付し、説明を省略する。他の実施形態について特に説明しない点については、第１実施形態についての説明が適宜適用される。他の実施形態においても、第１実施形態と同様に使用することができ、同様の効果が奏される。
【００４２】
図６は、本発明の第２実施形態の三角部保護板を示す側面図（図４対応図）である。
第２実施形態の三角部保護板１Ａは、第１実施形態の三角部保護板１に比して、図６に示すように、エスカレータＥを側面視した状態において、三角部保護板１Ａの下端部１５の傾斜角度θ１と、エスカレータＥの手摺Ｅ１の傾斜角度θ２とが同じであることが主として異なる。その他の構成は、第１実施形態と同様である。
第２実施形態の三角部保護板１Ａによっても、第１実施形態の三角部保護板１と同様の効果が奏される。
【００４３】
図７（ａ）及び（ｂ）は、本発明の第３実施形態の三角部保護板を示す斜視図である。
第３実施形態の三角部保護板１Ｂは、第１実施形態の三角部保護板１に比して、図７に示すように、エスカレータＥの下方側の下部板材１ａと上方側の上部板材１ｂとが、下部板材１ａの上部と上部板材１ｂの下部とを重ねた状態で連結されてなる。そして、下部板材１ａと上部板材１ｂとの重なりの程度を変更することにより、三角部保護板１Ｂの下端部１５と上端部１６との間隔を広狭自在に構成されている。
【００４４】
第３実施形態の三角部保護板１Ｂについて詳述する。第３実施形態においては、下部板材１ａは、三角部保護板１における外側に凹んだ下部１１を形成し、上部板材１ｂは、三角部保護板１における内側に凸に湾曲した上部１２を形成する。つまり、第３実施形態の三角部保護板１Ｂは、下部板材１ａと上部板材１ｂとが連結された状態において、第１実施形態の三角部保護板１と同様の全体形状となる。
【００４５】
下部板材１ａと上部板材１ｂとの重なりの程度を変更することにより、三角部保護板１Ｂの下端部１５と上端部１６との間隔を広狭自在とする構成は、特に制限されないが、第３実施形態においては以下の構成を採用している。
下部板材１ａの上部には、三角部保護板１Ｂの前後方向に離間して２個の上部貫通孔１７ａ，１７ａが設けられている。上部板材１ｂの下部には、三角部保護板１の前後方向に、２個の上部貫通孔１７ａ，１７ａの間隔と同じ間隔で離間した２個の第１下部貫通孔１７ｂ１，１７ｂ１と、同じ間隔で離間した２個の第２下部貫通孔１７ｂ２，１７ｂ２とが設けられている。第１下部貫通孔１７ｂ１は、第２下部貫通孔１７ｂ２の下方に離間して配置している。
【００４６】
下部板材１ａと上部板材１ｂとは、下部板材１ａの上部をエスカレータＥの横方向内側に配置し、上部板材１ｂの下部を横方向外側に配置させて、雄ネジ１７ｃとナット（図示せず）とを締結することにより連結される。雄ネジ１７ｃは横方向内側に配置され、ナットは横方向外側に配置される。雄ネジ１７ｃは、横方向内側に配置され、利用者に接する可能性があるので、雄ネジ１７ｃのネジ頭が下部板材１ａの外面から突出しないように、下部板材１ａに座ぐりを設けることが好ましい。
【００４７】
第３実施形態の三角部保護板１Ｂにおいては、図７（ａ）に示すように、下部板材１ａの上部貫通孔１７ａと上部板材１ｂの第１下部貫通孔１７ｂ１とを一致させて、雄ネジ１７ｃ及びナットを用いて、下部板材１ａと上部板材１ｂとを連結することができる。また、図７（ｂ）に示すように、下部板材１ａの上部貫通孔１７ａと上部板材１ｂの第２下部貫通孔１７ｂ２とを一致させて、雄ネジ１７ｃ及びナットを用いて、下部板材１ａと上部板材１ｂとを連結することができる。
【００４８】
図７（ａ）に示す連結形態においては、下部板材１ａと上部板材１ｂとの重なりの程度（重なる面積）が小さいので、結果的に、三角部保護板１の下端部１５と上端部１６との間隔が広くなる。一方、図７（ｂ）に示す連結形態においては、下部板材１ａと上部板材１ｂとの重なりの程度が大きいので、結果的に、三角部保護板１の下端部１５と上端部１６との間隔が狭くなる。
【００４９】
第３実施形態の三角部保護板１Ｂによれば、第１実施形態の三角部保護板１と同様の効果が奏される。
また、第３実施形態の三角部保護板１Ｂは、下部板材１ａと上部板材１ｂが、下部板材１ａの上部と上部板材１ｂの下部とを重ねた状態で連結されてなり、下部板材１ａと上部板材１ｂとの重なりの程度を変更することにより、三角部保護板１Ｂの下端部１５と上端部１６との間隔を広狭自在に構成されている。そのため、１種類の三角部保護板１によって、図４に示す側面視形状や図６に示す側面視形状などの２種類の形状に対応することができる。
尚、下部板材１ａ及び上部板材１ｂに設ける貫通孔の個数や位置などを変更することにより、三角部保護板１の下端部１５と上端部１６との間隔を３段階以上に変更自在な構成とすることができる。
【００５０】
図８は、本発明の第４実施形態の三角部保護板を示す斜視図（図２対応図）である。
第４実施形態の三角部保護板１Ｃは、図８に示すように、エスカレータＥを正面視した状態において、三角部保護板１Ｃの前端部１３は、その下部が、エスカレータＥの手摺Ｅ１よりもエスカレータＥの横方向外側に向けて凹んでいる。また、三角部保護板１の前端部１３は、その上端部１３ｂが、エスカレータＥの横方向内側を向いている。
つまり、第４実施形態の三角部保護板１Ｃは、略半円弧形状を有しており、その下端部１５及び上端部１６の両方がエスカレータＥの横方向内側を向いている。
【００５１】
図９は、本発明の第５実施形態の三角部保護板を備えた建物の内部を示す側面図である。前記第１〜第４実施形態の三角部保護板１〜１Ｃは、建物Ｆの上階Ｆ２・下階Ｆ１に跨って設置された（第１）エスカレータＥにおける手摺Ｅ１と手摺Ｅ１に近接する建物Ｆの構造体（具体的には下階Ｆ１の天井Ｆ１１）とが交差することによって形成される三角部Ｆ３に配設されるものであるのに対し、第５実施形態の三角部保護板１Ｄは、図９に示すように、（第１）エスカレータＥにおける手摺Ｅ１と第１エスカレータＥに並んで設置された第２エスカレータＥ’の下部Ｆ４’とが交差することによって形成される三角部Ｆ３’に配設されるものである。
【００５２】
第１〜第４実施形態における三角部Ｆ３が略直角三角形状を有しているのに対し、第５実施形態における三角部Ｆ３’は、（直角を有していない）略二等辺三角形状を有している。従って、第５実施形態の三角部保護板１Ｄは、三角部Ｆ３の形状に対応して、側面視で、略二等辺三角形状を有している。
【００５３】
図１０は、本発明の第６実施形態の三角部保護板を示す斜視図である。図１１は、本発明の第６実施形態の三角部保護板を示す側面図である。図１２は、本発明の第６実施形態の三角部保護板を示す平面図である。
第６実施形態の三角部保護板１Ｅは、本発明の第２発明の好ましい一実施形態であり、特に説明しない構成は、第１実施形態と同様である。
【００５４】
第６実施形態の三角部保護板１Ｅにおいては、図９及び図１０に示すように、エスカレータＥを側面視した状態において、三角部保護板１Ｅの前端部１３は、その下部１３ｃが、水平面に対して、エスカレータＥの前側から後ろ側に向かう方向に傾斜すると共に、エスカレータＥの手摺Ｅ１と交差している。また、三角部保護板１Ｅの前端部１３の下部１３ｃの傾斜角度は、エスカレータＥの手摺Ｅ１の傾斜角度よりも大きくなっている。三角部保護板１Ｅの前端部１３の上部１３ｄの傾斜角度は、三角部保護板１Ｅの前端部１３の下部１３ｃの傾斜角度よりも大きくなっている。
【００５５】
エスカレータＥの手摺Ｅ１と三角部保護板１Ｅの前端部１３の下部１３ｃとがなす角度θ３は、好ましくは５〜１０度である。三角部保護板１Ｅの前端部１３の下部１３ｃと上部１３ｄとがなす角度θ４は、好ましくは５〜１０度である。
図１０及び図１１に示すように、三角部保護板１Ｅは、全体として平板状である。三角部保護板１Ｅの前端部１３は、エスカレータＥの横方向外側に略直角に屈曲し、矩形帯状の縁部を形成している。前端部１３に矩形帯状の縁部が設けられているため、例えば、前端部１３に利用者Ｍの頭Ｈなどが接触したとしても、前端部１３によって利用者Ｍの頭Ｈなどに切り傷が付くことを防止できる。
【００５６】
第５実施形態の三角部保護板１Ｅにおいては、三角部保護板１Ｅにおける前端部１３の下部１３ｃは、水平面に対して、エスカレータＥの前側から後ろ側に向かう方向に、エスカレータＥの手摺Ｅ１の傾斜角度よりも大きい傾斜角度で傾斜すると共に、エスカレータＥの手摺Ｅ１と交差している。そのため、上りのエスカレータの利用者Ｍが、エスカレータＥの手摺Ｅ１よりも横方向外側に、自分の頭Ｈを突き出した状態で、エスカレータＥに乗り続けていた場合であっても、三角部保護板１Ｅにおける前端部１３の下部１３ｃによって、頭ＨがエスカレータＥの横方向内側に押し戻される。このとき、利用者Ｍの頭Ｈは、前端部１３の下部１３ｃによって支持されるため、三角部保護板１とエスカレータＥの手摺Ｅ１との間に首などを挟み込みにくい。
【００５７】
そして、三角部保護板１Ｅの前端部１３の上部１３ｄの傾斜角度は、三角部保護板１Ｅの前端部１３の下部１３ｃの傾斜角度よりも大きくなっているため、前端部１３の下部１３ｃによって横方向内側に押し戻された利用者Ｍの頭Ｈは、前端部１３の上部１３ｄによって、エスカレータＥの横方向内側に更に押し戻される。
【００５８】
本発明の三角部保護板は、前述した実施形態に制限されることなく、適宜変更が可能である。例えば、三角部Ｆ３を形成する建物の構造体は、第１〜第４及び第６実施形態のように下階Ｆ１の天井に制限されず、例えば、梁でもよい。
本発明の三角部保護板１は、その下端部１５及びその上端部１６がエスカレータＥの欄干Ｅ２や下階Ｆ１の天井Ｆ１１などに固定されていることが好ましいが、下端部１５又は上端部１６の何れか一方がエスカレータＥの欄干Ｅ２や下階Ｆ１の天井Ｆ１１などに固定されていなくてもよい。
【００５９】
図５及び図１０を参照して、利用者Ｍが頭ＨをエスカレータＥの手摺Ｅ１から突き出している場合における本発明の三角部保護板の効果について説明しているが、本発明の三角部保護板は、頭Ｈ以外の身体、例えば、首、手などをエスカレータＥの手摺Ｅ１から突き出している場合にも有効である。
本発明の各実施形態における各構成は、適宜組み合わせることができる。
【図面の簡単な説明】
【００６０】
【図１】本発明の第１実施形態の三角部保護板、及びエスカレータを備えた建物の内部を示す正面斜視図である。
【図２】第１実施形態の三角部保護板を単体状態で示す斜視図である。
【図３】第１実施形態の三角部保護板の前端部を示す端面図である。
【図４】第１実施形態の三角部保護板を示す側面図である。
【図５】第１実施形態の三角部保護板による効果を示す斜視図である。
【図６】本発明の第２実施形態の三角部保護板を示す側面図（図４対応図）である。
【図７】（ａ）及び（ｂ）は、本発明の第３実施形態の三角部保護板を示す斜視図である。
【図８】本発明の第４実施形態の三角部保護板を示す斜視図（図２対応図）である。
【図９】本発明の第５実施形態の三角部保護板を備えた建物の内部を示す側面図である。
【図１０】本発明の第６実施形態の三角部保護板を示す斜視図である。
【図１１】本発明の第６実施形態の三角部保護板を示す側面図である。
【図１２】本発明の第６実施形態の三角部保護板を示す平面図である。
【符号の説明】
【００６１】
１，１Ａ，１Ｂ，１Ｃ，１Ｄ，１Ｅ  三角部保護板
１ａ  下部板材
１ｂ  上部板材
１１  下部
１２  上部
１３  前端部
１３ａ  下端部
１３ｂ  上端部
１３ｃ  下部
１３ｄ  上部
１５  下端部
１６  上端部
Ｅ  （第１）エスカレータ
Ｅ’  第２エスカレータ
Ｅ１  手摺
Ｅ４’  下部
Ｆ  建物
Ｆ１  下階
Ｆ１１  天井（建物の構造体）
Ｆ２  上階
Ｆ３、Ｆ３’  三角部
【図１】
2009132486.tif 000003
【図２】
2009132486.tif 000004
【図３】
2009132486.tif 000005
【図４】
2009132486.tif 000006
【図５】
2009132486.tif 000007
【図６】
2009132486.tif 000008
【図７】
2009132486.tif 000009
【図８】
2009132486.tif 000010
【図９】
2009132486.tif 000011
【図１０】
2009132486.tif 000012
【図１１】
2009132486.tif 000013
【図１２】
2009132486.tif 000014